(57)【特許請求の範囲】
【請求項１】
互いに隣接する庇本体の端部どうしを突き合わせて構成され、一部が建物の外壁から外側に突出して配置される庇であって、
前記各庇本体の突き合わせ側端部にねじを用いて固定されるカバー材と、
前記各庇本体に固定されるカバー材の少なくとも一方における、カバー材どうしの対向面に設けられる防水用のパッキング材と、
前記各庇本体にそれぞれ固定される各カバー材に相手側カバー材側に突出させて設けられた結合部と、
前記各カバー材に設けられた結合部どうしを結合する固定ねじとを備えたことを特徴とする庇。
【請求項２】
請求項１に記載の庇において、
前記各カバー材に設けられた結合部どうしは上下に重ねられ、
少なくとも一方のカバー材に設けられた結合部の突出縁は、その一方のカバー材の他方のカバー材との対向面と平行をなすと共に、
前記一方のカバー材に設けられた結合部の突出幅は、他方のカバー材に設けられた結合部の突出幅以上の幅を有することを特徴とする庇。
【請求項３】
請求項２に記載の庇において、
前記固定ねじとして皿ねじが用いられ、
上下に重ねられる結合部のうち、前記皿ねじが挿入される側に、その皿ねじの頭部より大径のテーパー状のねじ挿通孔が設けられると共に、他方に前記皿ねじが螺合されるねじ孔が設けられていることを特徴とする庇。
【請求項４】
請求項２または３に記載の庇において、
前記カバー材に設けられる各結合部は、前記庇本体どうしの突き合わせ部における室外側先端の上面側または下面側に設けられることを特徴とする庇。
【請求項５】
請求項１から４までのいずれか１項に記載の庇において、
互いに突き合わされる庇本体の端部にそれぞれ固定されるカバー材は、庇本体の突き合わせ側端面において互いに異なる個所に位置する複数のタッピングホールにタッピングねじを用いて固定されて取付けられることを特徴とする庇。
【請求項６】
請求項４に記載の庇において、
前記カバー材に設けられる各結合部は、前記庇本体どうしの突き合わせ部における室外側先端の下面側に設けられ、
突き合わされる庇本体の間の隙間を覆うキャップを備え、
前記キャップは、前記隙間の上面、室外側面、室外側の下面を覆う構造を有し、
前記キャップは、前記隙間の室外側の下面を覆う部分が、上下に重ねられる前記結合部のうちのいずれかに一方に設けられたねじ孔に螺合される固定ねじによりカバー材に取付けられることを特徴とする庇。
【発明の詳細な説明】
【技術分野】
【０００１】
本発明は、建物の外壁から室外側に突出させて設けられる庇に係わり、特に複数の庇本体が突き合わせて構成される庇において、隣接する庇本体間の水漏れを防止する防水構造に関する。
【背景技術】
【０００２】
複数の庇本体が突き合わせて構成される庇においては、隣接する庇本体どうしの突き合わせ部での防水が必要となる。特に窓が設置される場合には、窓の下枠に設ける庇の突き合わせ部での防水が、外壁より室内側への水の雨水の浸入を防止する上で重要である。このような防水を目的として設置された従来の庇とし、特許文献１に記載のものがある。
【０００３】
この従来の庇は、建物のコーナー部において庇本体どうしを留め切りにして防止構造で結合するものであり、庇本体どうしを結合するためにコーナー部材を用いるものである。そのコーナー部材は、突き合わされる中空構造の庇本体内に嵌合する２つの嵌合部を有すると共に、上面に排水用の溝を有するものを備える。また、庇本体どうしの突き合わせ部にカバーを被せてねじによりカバーを庇本体に固定する構造を有する。また、この従来の庇は、庇本体の中空部内に、コーナー部材との接合のための突条を形成しており、庇本体をコーナー部材に結合する際には、その突条に、コーナー部材に設けた溝を嵌合する。
【先行技術文献】
【特許文献】
【０００４】
【特許文献１】特開２００９−６８２６９号公報
【発明の概要】
【発明が解決しようとする課題】
【０００５】
しかしながら、上記した従来の庇は、コーナー部材に設けた溝を庇本体の中空部内に設けた突条に嵌めてコーナー部材の片側を一方の庇本体の中空部内に嵌合し、さらに他方の庇本体をコーナー部材の他側についても同様の作業を行なった上で、カバーを庇本体にねじ止めを行なう必要があり、組立作業に手間がかかるという問題点があった。
【０００６】
本発明は、上記問題点に鑑み、結合される庇本体間の防水機能を確保しつつ、簡単な作業で庇本体どうしの結合を行なえる庇を提供することを目的とする。
【課題を解決するための手段】
【０００７】
本発明の庇は、
互いに隣接する庇本体の端部どうしを突き合わせて構成され、一部が建物の外壁から外側に突出して配置される庇であって、
前記各庇本体の突き合わせ側端部にねじを用いて固定されるカバー材と、
前記各庇本体に固定されるカバー材の少なくとも一方における、カバー材どうしの対向面に設けられる防水用のパッキング材と、
前記各庇本体にそれぞれ固定される各カバー材に相手側カバー材側に突出させて設けられた結合部と、
前記各カバー材に設けられた結合部どうしを結合する固定ねじとを備えたことを特徴とする。
【０００８】
また、本発明の庇は、前記庇において、
前記各カバー材に設けられた結合部どうしは上下に重ねられ、
少なくとも一方のカバー材に設けられた結合部の突出縁は、その一方のカバー材の他方のカバー材との対向面と平行をなすと共に、
前記一方のカバー材に設けられた結合部の突出幅は、他方のカバー材に設けられた結合部の突出幅以上の幅を有することを特徴とする。
【０００９】
また、本発明の庇は、前記庇において、
前記固定ねじとして皿ねじが用いられ、
上下に重ねられる結合部のうち、前記皿ねじが挿入される側に、その皿ねじの頭部より大径のテーパー状のねじ挿通孔が設けられると共に、他方に前記皿ねじが螺合されるねじ孔が設けられていることを特徴とする。
【００１０】
また、本発明の庇は、前記庇において、
前記カバー材に設けられる各結合部は、前記庇本体どうしの突き合わせ部における室外側先端の上面側または下面側に設けられることを特徴とする。
【００１１】
また、本発明の庇は、前記庇において、
互いに突き合わされる庇本体の端部にそれぞれ固定されるカバー材は、庇本体の突き合わせ側端面において互いに異なる個所に位置する複数のタッピングホールにタッピングねじを用いて固定されて取付けられることを特徴とする。
【００１２】
また、本発明の庇は、前記庇において、
前記カバー材に設けられる各結合部は、前記庇本体どうしの突き合わせ部における室外側先端の下面側に設けられ、
突き合わされる庇本体の間の隙間を覆うキャップを備え、
前記キャップは、前記隙間の上面、室外側面、室外側の下面を覆う構造を有し、
前記キャップは、前記隙間の室外側の下面を覆う部分が、上下に重ねられる前記結合部のうちのいずれかに一方に設けられたねじ孔に螺合される固定ねじによりカバー材に取付けられることを特徴とする。
【発明の効果】
【００１３】
本発明の庇は、カバー材の庇本体への取付けや、カバー材どうしの締結がねじを用いて行なわれると共に、カバー材どうしの締結によりパッキング材の挟持が行なわれる。このため、庇本体どうしの結合作業がねじ付けという簡単な作業で行なえる。
【図面の簡単な説明】
【００１４】
【図１】本発明による庇の一実施の形態を示す縦断面図である。
【図２】図１のＥ−Ｅ断面図である。
【図３】（Ａ），（Ｂ）はそれぞれこの実施の形態において結合される庇本体の端部を示す図である。
【図４】この実施の形態の庇本体の突き合わせ部を結合状態で示す平面図である。
【図５】この実施の形態の庇本体の突き合わせ部のカバー材の固定構造を示す分解斜視図である。
【図６】この実施の形態において、突き合わされる一方の庇本体の端部に固定されるカバー材を示すものであり、（Ａ）はその斜視図、（Ｂ）はそのカバー材を室外側から見た側面図、（Ｃ）はその平面図、（Ｄ）はその正面図、（Ｅ）はそのカバー材にパッキング材を貼り付けた状態を示す平面図、（Ｆ）は（Ｅ）の正面図である。
【図７】この実施の形態において、突き合わされる他方の庇本体の端部に固定されるカバー材を示すものであり、（Ａ）はその斜視図、（Ｂ）はそのカバー材を室外側から見た側面図、（Ｃ）はその平面図、（Ｄ）はその正面図である。
【図８】この実施の形態のカバー材の結合機構を示すもので、（Ａ）はカバー材どうしの結合前の結合機構を示す平面図、（Ｂ）はカバー材どうしの結合後の状態を示す縦断面図である。
【図９】この実施の形態における庇本体の突き合わせ部の隙間を覆うキャップの取付け構造を示す断面図である。
【図１０】本発明を適用する庇の他の例を示す縦断面図である。
【図１１】図１０の庇に適用した本発明の他の実施の形態を示す縦断面図である。
【発明を実施するための形態】
【００１５】
図１は本発明による庇の一実施の形態を示す縦断面図、図２は図１のＥ−Ｅ断面図である。この実施の形態の庇は、建物の外壁のコーナー部に設置される窓に設けられる庇について示す。図１において、１，２はそれぞれ窓３を設置する窓台およびまぐさであり、窓３の下枠３ａは窓台１に固定具４により固定され、上枠３ｂはまぐさ２に固定具５により固定される。図２において、３ｃは建物のコーナー部に設置される窓３の縦枠、３ｄ，３ｅは建物の柱６，７に固定される縦枠である。この例の窓は引き違い障子３ｆを有する引き違い窓について示しているが、嵌め殺し窓や開き窓等、他の種類の窓が設置される場合もある。
【００１６】
図１において、９は建物の外壁、１０は窓３の下部に設けられる水切り用の庇本体であり、図２に示すように、この庇本体１０は、建物のコーナー部において、隣合う庇本体１１と留め切り構造で結合される。図１において、１３は窓の上部に設けられる水切り用の庇本体である。これらの庇本体１０，１３はそれぞれ固定具１４，１５を用いてそれぞれ窓台１、まぐさ２に固定される。１６は外壁９と庇１０、並びに外壁９と庇１３との間に充填されたコーキング材である。１７，１８はそれぞれ庇本体１０と窓３の下枠３ａとの間、および庇本体１３と窓３の上枠３ｂとの間に設けられた化粧材である。これらの化粧材１７，１８は、それぞれ固定具４，１４および固定具５，１５によりそれぞれ窓台１、まぐさ２に取付けられる。１９はこれらの化粧材１７，１８と庇本体１０，１１との間、および化粧材１７，１８と窓３の下枠３ａ、上枠３ｂとの間に充填されたコーキング材である。
【００１７】
図３（Ａ），（Ｂ）に示すように、庇本体１０，１１は同じ断面形状で中空状をなし、押出形材でなる。庇本体１０，１１の各上板部１０ａ，１１ａの下面に、室内外方向に間隔を置いて２条のタッピングホール１０ｂ，１０ｃおよび１１ｂ，１１ｃが設けられている。また、庇本体１０，１１の各下板部１０ｄ，１１ｄの上面に、室内外方向に間隔をおいて２条のタッピングホール１０ｅ，１０ｆおよび１１ｅ，１１ｆが設けられている。各庇本体１０，１１の室内側には、それぞれ上方、下方に延出させて形成された窓台１への取付け部１０ｇ，１０ｈおよび１１ｇ，１１ｈを有し、各取付け部１０ｇ，１０ｈおよび１１ｇ，１１ｈにそれぞれ取付け孔１０ｉ，１０ｊおよび１１ｉ，１１ｊを有する。
【００１８】
図４は庇本体１０，１１間を結合するコーナー部の構成を示しており、図４に示すように、建物のコーナー部において突き合わされる庇本体１０，１１の突き合わせ面は、４５度の角度で留め切りされている。２５，２６はそれぞれ各庇本体１０，１１の突き合わせ側端部に固定されるカバー材である。各カバー材２５，２６は、それぞれタッピングねじ２０，２１およびタッピングねじ２２，２３により庇本体１０，１１に固定される。カバー材２５，２６間は、固定ねじ３０を含む結合機構２７により後述の構造で結合される。本例の結合機構２７は、カバー材２６に設けられた結合部２９と、カバー材２５に設けられた結合部２８と、これらを締結する固定ねじ３０とからなり、その詳細については後述する。３２は庇本体１０，１１の隙間を覆うキャップであり、３３はキャップ３２をカバー材２５，２６に固定する固定ねじである。
【００１９】
図５は庇本体１０，１１の突き合わせ部におけるカバー材２５，２６の庇本体１０，１１に対する固定構造を示しており、図６、図７はそれぞれカバー材２５，２６の構造を示す。図６（Ａ），（Ｄ）および図７（Ａ），（Ｄ）に示すように、カバー材２５，２６は、それぞれ４５度の角度で留め切りされた庇本体１０，１１の端部に対応する形状を有する。一方のカバー材２５の室内側寄りの下部には、タッピングねじ２０を通すための貫通孔２５ａを有し、室外側寄りの上部には、タッピングねじ２１を通すための貫通孔２５ｂを有する。他方のカバー材２６の室内側寄りの上部には、タッピングねじ２２を通すための貫通孔２６ａを有し、室外側寄りの下部には、タッピングねじ２３を通すための貫通孔２６ｂを有する。
【００２０】
図６（Ａ），（Ｂ）および図７（Ａ），（Ｂ）に示すように、結合機構２７を構成する結合部２９および結合部２８は、各カバー材２６，２５の室外側の下部における、相手側カバー材２５，２６との対向面に、相手側カバー材２５，２６に向けて突出させて一体に設けられている。この実施の形態においては、これらの結合部２９および結合部２８が、結合部材を溶接することによりカバー材２６，２５に固着されたものを示しているが、カバー材２６，２５の折曲げ形成によりこれらの結合部２９や結合部２８を設けてもよい。
【００２１】
図７、図８（Ａ），（Ｂ）に示すように、結合部２９には、締結用の固定ねじ３０を通す貫通孔としてのテーパー状のねじ挿通孔２９ａと、図４に示したキャップ３２の固定ねじ３３を螺合するねじ孔２９ｂが設けられている。また、結合部２９の突出縁２９ｃは、その結合部２８を設けた一方のカバー材２６の他方のカバー材２５との対向面２６ｃと平行をなす。図８（Ｂ）に示すように、この実施の形態においては固定ねじ３０として皿ねじが用いられており、結合機構２９に設けたテーパー状のねじ挿通孔２９ａは、その皿ねじの頭部３０ａより大径に、頭部３０ａと相似形に形成されている。
【００２２】
一方、結合部２８には、図６、図８（Ａ）に示すように、締結用の固定ねじ３０を螺合するねじ孔２８ａと、図９に示すように、キャップ３２を固定する固定ねじ３３の先端部を通すための、固定ねじ３３より大径の貫通孔２８ｂが設けられている。また、この実施の形態においては、図８（Ａ）に示すように、結合部２９の突出幅Ｗ１は、結合部２８の突出幅Ｗ２よりやや大きく（Ｗ１＞Ｗ２）形成されている。また、図８（Ｂ）に示すように、結合部２９の下面はカバー材２６の下面に揃え、結合部２８は、カバー材２５の下面から、結合部２９の厚みｔ分だけ、上位置に設けられている。また、この結合部２９の突出幅Ｗ１は、後述のパッキング材３４の厚みよりやや狭く設定されている。
【００２３】
図５および図６（Ｅ），（Ｆ）に示すように、一方のカバー材２５の他方のカバー材２６との対向面には、例えば発泡材等でなる弾性を有するパッキング材３４が貼り付けられている。このパッキング材３４は、カバー材２５を庇本体１０に固定するための固定ねじ２０，２１の取付け位置を避け、かつ結合部２８の位置を避けて、カバー材２５の室内側端部から結合部２８上（すなわち外壁９より室外側に相当する位置）にわたって設けられている。このパッキング材３４は、庇本体１０の窓台１に対する取付け部１０ｇの端部を覆う立上部３４ａを有すると共に、パッキング材３４の上面に溜まる水の排出を行なうため、上面を傾斜面３４ｂに形成している。
【００２４】
この構成において、図５に示すように、カバー材２５は、これを固定するための一方のタッピングねじ２０を、その取付け容易化および締結の安定化のための三角形のカラー２４と、カバー材２５の室内側下部に設けた貫通孔２５ａに通して、庇本体１０の室内側下部のタッピングホール１０ｅに螺入する。また、他方のタッピングねじ２１を、カラー２４と、カバー材２５の室外側上部に設けられた貫通孔２５ｂに通して、庇本体１０の室外側上部のタッピングホール１０ｃに螺入する。これによりカバー材２５が庇本体１０の開口端部を覆った状態で固定される。
【００２５】
また、図５に示すように、カバー材２６は、これを固定するための一方のタッピングねじ２２を、カラー２４と、カバー材２６の室内側上部に設けられた貫通孔２６ａに通して、庇本体１１の室内側上部のタッピングホール１１ｂに螺入する。また、他方のタッピングねじ２３を、カラー２４と、カバー材２６の室外側下部に設けられた貫通孔２６ｂに通して、庇本体１１の室外側下部のタッピングホール１１ｆに螺入する。これによりカバー材２６が庇本体１１の開口端部を覆った状態で固定される。
【００２６】
庇本体１０，１１に取付けたカバー材２５，２６どうしの結合は、これらを建物の外壁９上に載せた状態で行なえる。このカバー材２５，２６の結合は、図８（Ｂ）に示すように、庇本体１１に取付けたカバー材２６に設けられた板状の結合部２９上に、庇本体１０に取付けたカバー材２５に設けられた結合部２８を重ね、結合部２９に設けられたテーパー孔２９ａから皿ねじでなる固定ねじ３０を挿入し、結合部２８のねじ孔２８ａに螺合し締結する。この締結の際に、皿ねじでなる固定ねじ３０ねじ孔２８ａのねじ込みに伴い、固定ねじ３０の頭部３０ａがテーパー状のねじ挿通孔２９ａのカバー材２５側の面に圧接し、結合部２９を矢印Ｆで示す方向に押して移動させ、結合部２９の突出縁２９ｃをカバー材２５に圧接させる。
【００２７】
ここで、結合部２９の下面はカバー材２６の下面と同面に形成され、結合部２８はカバー材２５の下面から結合部２９の厚みｔ分だけカバー材２５の下面から上に設けられているので、カバー材２５，２６は同高をなして結合され、庇本体１０，１１どうしも室内外全幅にわたって同高となる。また、結合部２９の突出縁２９ｃはカバー材２６の面２６ｃと平行をなし、この突出縁２９ｃがカバー材２５の対向面に圧接するため、図４に示したように、カバー材２５，２６どうしは平行をなした状態で庇本体１０，１１が結合される。これにより、４５度の角度で留め切りされた庇本体１０，１１どうしが４５度の角度で結合される。ここで、結合部２９の突出幅Ｗ１は、パッキング材３４の厚みより狭く設定されているので、カバー材２５，２６を締結した状態においては、パッキング材３４は圧縮された状態で、カバー材２５，２６間に挟持される。
【００２８】
このように、この実施の形態においては、結合機構２７において、結合部２９の突出幅Ｗ１がカバー材２５，２６間の間隔を設定し、結合部２９と結合部２８とを重ねた構造が、カバー材２５，２６を同高に設定する。
【００２９】
図９に示すように、キャップ３２は、庇本体１０，１１間の隙間を覆うもので、庇本体１０，１１間の隙間の上面を覆う部分３２ａと、室外側面を覆う部分３２ｂと、室外側の下面を覆う部分３２ｃとを有する。キャップ３２のカバー材２５，２６に対する取付けは、キャップ３２の室外側下面部３２ｃに設けたテーパー状のねじ挿通孔３２ｄから皿ねじでなる固定ねじ３３を挿入して結合部２９に設けられたねじ孔２９ｂに螺合し、固定ねじ３３の先端側を結合部２８に設けられた貫通孔２８ｂに通すことにより、カバー材２５，２６に固定される。
【００３０】
このように、この実施の形態においては、カバー材２５，２６の庇本体１０，１１への取付けをタッピングねじ２０〜２３により行なえると共に、カバー材２５，２６どうしの締結が固定ねじ３０を用いて行なわれ、この締結によりパッキング材３４の挟持が行なわれるので、庇本体どうしの間の水切り機能を持たせつつ、結合作業がねじ付けという簡単な作業で行なえる。
【００３１】
なお、庇本体１０，１１としては、押出形材ではなく、例えば折曲げ加工された金属板を用いてもよく、その端部に設けたねじ付け部にカバー材２５，２６をねじ付けにより固定する構造も採用可能である。
【００３２】
本発明において、固定ねじ３０によるカバー材２５，２６どうしの結合は、結合機構２７以外の部分で行なってもよいが、この実施の形態のように、結合部２９をカバー材２５，２６どうしの結合に用いることにより、構成の簡略化が図れる。なお、結合部２８は単なる結合部としてのみではなく、結合部２９と同じ突出幅Ｗ１を有するものとしてもよいが、結合部２８の突出幅Ｗ２も結合部２９の突出幅Ｗ１に揃えるには高精度の加工が必要となるので、この実施の形態においては、一方のみ、すなわち結合部２９のみで、カバー材２５，２６間の間隔を設定する手段としている。
【００３３】
また、この実施の形態においては、結合部２９の突出縁２９ｃはカバー材２６の面２６ｃと平行とし、固定ねじ３０として皿ねじが用いられ、その皿ねじより大径のテーパー孔のねじ挿通孔２９ａを結合部２９に設けて結合部２８のねじ孔２８ａに螺合するようにしたので、１本の固定ねじ３０による締結により、カバー材２５，２６の平行、同高の設定が同時に行なえ、作業の簡単化が促進される。
【００３４】
また、この実施の形態においては、結合部２８，２９は、庇本体１０，１１どうしの突き合わせ部における室外側先端に設けられているので、外観上重要な個所である庇本体１０，１１の室外側端部の位置が揃えられ、庇本体１０，１１の突き合わせ部として意匠上優れたものが得られる。なお、この実施の形態においては、結合部２８，２９を室外側の下面に設けているが、上面に設けてもよい。
【００３５】
また、この実施の形態においては、各庇本体１０，１１は中空状をなし、その内部の上下にそれぞれ２条のタッピングホール１０ｂ，１０ｃ，１０ｅ、１０ｆおよび１１ｂ，１１ｃ，１１ｅ、１１を有し、カバー材２５，２６は、そのタッピングねじ２０と２２、２１と２３の頭部が干渉しあわないように、カバー材２５については庇本体１０のタッピングホール１０ｅと１０ｃ、カバー材２６については１１ｂと１１ｆを使用したので、カバー材２５と２６とを近接して配置することができる。このため、パッキング材３４の厚みを薄くすることができる。
【００３６】
また、この実施の形態においては、キャップ３２の室外側の下面を覆う部分３２ｃが、結合部２９に設けられたねじ孔２９ｂに螺合される固定ねじ３３によりカバー材２５，２６に取付けられる構造としたため、キャップ専用の取付け部を設けることなくキャップ３２の取付けが可能となり、構造が簡略化される。なお、結合部２９には固定ねじ３３を挿通する貫通孔を設け、結合部２８に設けたねじ孔に固定ねじ３３を螺合する構造としてもよい。
【００３７】
図１０は本発明を適用する庇の他の例を示す縦断面図である。図１０において、１０Ｘは下面がオープン形状の庇本体であり、下面にタッピングホール１０ｍ，１０ｎを有する。３６は外壁９上に固定された板材であり、庇本体１０Ｘの室外側端部において、庇本体１０Ｘとの間に充填するコーキング材１６を充填するために設けられるものである。庇本体１０Ｘおよび板材３６は、建物のコーナー部に設けるものの場合、平面視において、端部は長手方向に対して４５度の角度で形成されたものである。
【００３８】
図１１は図１０の庇に適用した本発明の他の実施の形態を示す縦断面図である。図１１において、図１、図９および図１０と同じ符号は同じ構成部材または部分である。２５Ｘはカバー材であり、このカバー材２５Ｘは、庇本体１０Ｘの端部に、タッピングホール１０ｍ，１０ｎに螺入するタッピングねじ２０Ｘ，２１Ｘにより庇本体１０Ｘに固定される。庇本体１０Ｘに結合される不図示の庇本体についても同様の構造で不図示のカバー材が固定される。２７Ｘはカバー材２５Ｘと不図示のカバー材との間の結合機構であり、この結合機構２７Ｘには前記実施の形態と同様の構造が用いられている。
【００３９】
すなわちカバー材２５Ｘの室外側下部には前述のように結合部２８が設けられ、この結合部部２８が不図示のカバー材に設けられた結合部２９に重ねられて固定ねじ３０により結合される。３４Ｘはカバー材２５Ｘに貼り付けられたパッキング材である。この実施の形態においても、結合部２９と結合部２８とを固定ねじ３０によって締結することにより、パッキング材３４Ｘもカバー材２５Ｘと不図示のカバー材との間で挟持され、圧縮される。３３はキャップ３２Ｘの室外側下面部３２ｃを固定する固定ねじである。このように、下面がオープンの構造の庇本体の結合にも本発明の構造が適用可能である。
【００４０】
なお、この実施の形態の場合には、カバー材２５Ｘを庇本体１０Ｘに固定するタッピングねじ２０Ｘ，２１Ｘが不図示のカバー材を不図示の庇本体に固定するタッピングねじと干渉することを避けるため、前記実施の形態の場合よりもカバー材どうしの間隔を大きく設定することになる。
【００４１】
以上本発明を実施の形態により説明したが、本発明は、直線状に接続される庇本体どうしの結合にも用いることができ、また、前記実施の形態のように出隅部となるコーナー部ではなく、入隅部となるコーナー部にも用いることが可能である。また、本発明は窓３の上部の庇本体１３の結合にも用いることが可能であり、さらに窓３のない外壁部分にも適用可能である。
【００４２】
その他、本発明を実施する場合、本発明の要旨を逸脱しない範囲において、構成部材やその組み合わせについて、種々の変更、付加が可能である。
【符号の説明】
【００４３】
１０，１１  庇本体
１０ａ、１１ａ  上板部
１０ｂ，１０ｃ，１０ｅ，１０ｆ，１１ｂ，１１ｃ，１１ｅ，１１ｆ  タッピングホール
１０ｄ，１１ｄ  下板部
２０〜２３，２０Ｘ，２１Ｘ  タッピングねじ
２５，２５Ｘ，２６  カバー材
２７  結合機構
２８  結合部
２８ａ  ねじ孔
２８ｂ  ねじ挿通孔
２９  結合部
２９ａ  ねじ挿通孔
２９ｂ  ねじ孔
３０  固定ねじ
３２，３２Ｘ  キャップ
３３  固定ねじ
３４，３４Ｘ  パッキング材
【図１】
0006650837.tif 000002
【図２】
0006650837.tif 000003
【図３】
0006650837.tif 000004
【図４】
0006650837.tif 000005
【図５】
0006650837.tif 000006
【図６】
0006650837.tif 000007
【図７】
0006650837.tif 000008
【図８】
0006650837.tif 000009
【図９】
0006650837.tif 000010
【図１０】
0006650837.tif 000011
【図１１】
0006650837.tif 000012